(57)【特許請求の範囲】
【請求項１】
固形食材（Ｍ）の蜜漬け用糖蜜（Ｓ）を貯溜する断面ほぼＵ字形の煮釜（Ｔ）と、
その煮釜（Ｔ）における胴面（１）の下部と底面（２）を連続的に包囲する蒸気ジャケット（１０）と、
同じく煮釜（Ｔ）における胴面（１）の上部へ包囲状態に巻き付けられた面状電気ヒーター（８ａ）（８ｂ）と、
上記固形食材（Ｍ）や糖蜜（Ｓ）の加熱温度を検知すべく、煮釜（Ｔ）における胴面（１）の下部へ蒸気ジャケット（１０）を貫通する状態に差し込み固定された接触式の加熱温度センサー（２８）と、
上記蒸気ジャケット（１０）から導出された蒸気供給管路（２０）並びにその中途部へ並列状態に介挿設置された複数の開閉用電磁弁（２４ａ）（２４ｂ）と、
上記煮釜（Ｔ）の底面（２）から蒸気ジャケット（１０）を一旦貫通して、引き続き分岐状態に導出された煮炊き汁や湯水用の排水管路（５８）並びに糖蜜用の排液管路（５９）と、
その排液管路（５９）の中途部に介挿設置された強制循環ポンプ（６２）並びにその回転駆動モーター（６４）と、
その循環ポンプ（６２）の吐出幹路（６６）から引き続き分岐状態に導出されて、上記煮釜（Ｔ）における胴面（１）の上端部付近に開口する１次吐出枝路（６９）並びに煮釜（Ｔ）の開口上面に向かって迂回する２次吐出枝路（７０）と、
上記煮釜（Ｔ）における胴面（１）の上端部付近へ片持ち状態に設置された水平なモーター据付け架台（３３）と、
そのモーター据付け架台（３３）が煮釜（Ｔ）の上面中央部を指向して張り出す先端部に搭載された糖蜜振り撒き体用駆動モーター（３４）と、
その駆動モーター（３４）から垂下する出力軸と一体回転し得る伝動軸（３９）の下端部へ、着脱自在に連結一本化された糖蜜振り撒き体用回転支軸（４４）と、
多数の糖蜜流通孔（４７）が胴面に開口分布された円形の篭（４８ａ）（４８ｂ）から成るものとして、上記回転支軸（４４）の下端部へ組み付けユニット化された糖蜜振り撒き体（Ａ）と、
上記糖蜜振り撒き体用回転支軸（４４）の包囲可能な二重円筒形として、その内外相互間隙（７２）の中途高さ位置が上記２次吐出枝路（７０）の先端部に連通接続された糖蜜吐出ノズル（７１）と、
上記煮釜（Ｔ）の開口上面に向かって送風すべく、その煮釜（Ｔ）における胴面（１）の上端部付近に固定支持された水分蒸発促進用冷却ファン（１２５）とを備え、
上記固形食材（Ｍ）が収容された形崩れ防止用煮篭（Ｃ）の複数を、その積み重ね静置状態として煮釜（Ｔ）内の糖蜜（Ｓ）に漬け込んで、上記蒸気のみか又は蒸気と電気による加熱中、
その糖蜜（Ｓ）を上記循環ポンプ（６２）の駆動により煮釜（Ｔ）の底面（２）から排液管路（５９）の吐出幹路（６６）と２次吐出枝路（７０）を経て、その先端部の糖蜜吐出ノズル（７１）まで圧送する強制的な対流・撹拌作用と、その糖蜜吐出ノズル（７１）から煮釜（Ｔ）内への帰還状に吐出する糖蜜（Ｓ）を、上記糖蜜振り撒き体（Ａ）の回転遠心力により振り落とす拡散作用と、上記冷却ファン（１２５）の回転風力による蒸気の吹き飛ばし排気作用とを与えて、その糖蜜（Ｓ）の液面（Ｌ−Ｌ）から水分を積極的に蒸発させる固形食材（Ｍ）の蜜漬け加熱装置において、
上記吐出幹路（６６）の中途部へインライン型屈折率計から成る糖度センサー（Ｂ）を、そのプリズム（７８）への糖蜜導入用配管ヘッダー（Ｈ）を介して着脱自在に接続固定するに当り、
上記糖度センサー（Ｂ）におけるプリズム（７８）への接液口（９１）が形成されたサファイアアダプター（８９）の先端部から、フェルール（９２）を一体的に張り出す一方、
上記吐出幹路（６６）の中途部に一対のフェルール（１１０ａ）（１１０ｂ）を張り出し形成しておき、
糖蜜導入用配管ヘッダー（Ｈ）のヘッダー本体（１０４）をその内部中央に糖蜜導入ガイド壁（１０６）が垂立するほぼシルクハット形に造形して、そのヘッダー本体（１０４）の取付け部に対応形成したフェルール（１０７）を上記糖度センサー（Ｂ）側のフェルール（９２）へ、クランプバンド（１０９）によって着脱自在に締結一体化すると共に、
上記ヘッダー本体（１０４）の胴面から相反する方向へ張り出す一対の分岐管（１０５ａ）（１０５ｂ）の先端部に対応形成したフェルール（１０８ａ）（１０８ｂ）を上記吐出幹路（６６）側のフェルール（１１０ａ）（１１０ｂ）へ、やはりクランプバンド（１１１ａ）（１１１ｂ）によって着脱自在に締結一体化し、
上記配管ヘッダー（Ｈ）における一方の分岐管（１０５ｂ）から他方の分岐管（１０５ａ）へ流動する糖蜜（Ｓ）を、その糖蜜導入ガイド壁（１０６）により上記糖度センサー（Ｂ）のプリズム（７８）と接触する方向へ自づと迂回導入させるように定めたことを特徴とする固形食材の蜜漬け加熱装置。
【請求項２】
煮釜（Ｔ）における胴面（１）の上端部付近へ水平な減速機用支持架台（３）を溶接一体化して、その支持架台（３）又はこれからの水平な延長架台（５）上へ、直交軸型の減速機又はギヤードモーター（３０）を取り付け固定する一方、
糖蜜振り撒き体用駆動モーター（３４）が搭載されたモーター据付け架台（３３）の基端部から一体的に垂下する片持ち支柱（３６）の下端部を、上記ギヤードモーター又は減速機（３０）の出力軸（３２）上に嵌め付け一体化して、
同じくギヤードモーター又は減速機（３０）の入力軸（３１）上に嵌め付け一体化した回動ハンドル（３７）を回動操作すれば、上記モーター据付け架台（３３）の片持ち支柱（３６）が上記出力軸（３２）を水平の枢支点として約９０度の一定角度（α）だけ回動作用し、そのモーター据付け架台（３３）を上記煮釜（Ｔ）の開口上面から廻し起し退避させることができるように定めたことを特徴とする請求項１記載の固形食材の蜜漬け加熱装置。
【請求項３】
煮釜（Ｔ）の据付け台（１２）に固定された直管型の下側ポール（１２６ｂ）と、その下側ポール（１２６ｂ）へ一定角度（β）だけ旋回し得る同芯嵌合状態に組み立てられたほぼ倒立Ｌ字形の上側ポール（１２６ａ）とから成るチエンホイスト用支持ポール（１２６）を、上記据付け台（１２）から糖蜜振り撒き体用駆動モーター（３４）の据付け架台（３３）よりも背高く垂立させて、その上側ポール（１２６ａ）の先端部に電動チエンホイスト（１３４）を取り付ける一方、
各煮篭（Ｃ）の篭本体（１３６）を円形の胴面と底面とから成る断面ほぼＵ字形に造形して、その底面の直径方向に沿い一定帯幅（ｗ）だけ横断する水平な固定仕切り板（１４１）の中心部から、上記電動チエンホイスト（１３４）のハンガーフック（１３５）へ係脱自在に係止し得る多孔芯筒（１４２）を上向き一体的に垂立させると共に、
上記篭本体（１３６）の底面における固定仕切り板（１４１）の平行なストレート縁部へ複数づつの蝶番（１４５）により、対称な一対の可動底板（１４３）を開閉自在に枢着して、
上記電動チエンホイスト（１３４）のハンガーフック（１３５）を蜜漬け終了した固形食材（Ｍ）の収容状態にある篭本体（１３６）の多孔芯筒（１４２）へ係止して、煮釜（Ｔ）の内部から吊り出した上、その篭本体（１３６）の両可動底板（１４３）を開放させることができるように定めたことを特徴とする請求項１記載の固形食材の蜜漬け加熱装置。
【請求項４】
固形食材（Ｍ）の形崩れ防止用煮篭（Ｃ）を篭本体（１３６）と、その内部へ落し込める大きさの相似な円形蓋体（１３７）とから成る１組として、
１本の金属線材から屈曲するほぼＵ字形をなし、且つそのＵ字形の切り離し両端部が直線状の水平な差込み枢軸（１５９）により連結された把手（１５８）の複数を、上記蓋体（１３７）へ直径方向に沿う進退スライド自在に取り付け、
その各把手（１５８）の差込み枢軸（１５９）を進出操作して、上記篭本体（１３６）の胴面に開口分布する目孔へ差し込み係止させることにより、上記蓋体（１３７）をその篭本体（１３６）との固定維持状態に使用し得る一方、
同じく各把手（１５８）の差込み枢軸（１５９）を上記篭本体（１３６）の目孔から内向きに抜き出し退避させることにより、上記蓋体（１３７）をその篭本体（１３６）内での自由自在に昇降する落し蓋としても使用できるように定めたことを特徴とする請求項１記載の固形食材の蜜漬け加熱装置。
【請求項５】
糖蜜用排液管路（５９）の吐出幹路（６６）から分岐状態に導出された１、２次吐出枝路（６９）（７０）の切り換えを、Ｌポートの三方弁（６８）によって行なえるように定めたことを特徴とする請求項１記載の固形食材の蜜漬け加熱装置。
【発明の詳細な説明】
【技術分野】
【０００１】
本発明は甘納豆の原料となる豆類や芋類、栗、果実、その他の各種固形食材を大量処理できる蜜漬け加熱装置に関する。
【背景技術】
【０００２】
この種の固形食材を大量処理できる蜜漬け加熱装置について、本発明の特許出願人は既に特許第３８８５０５７号を取得しており、これが本発明に最も近似する公知技術であると考えられる。
【先行技術文献】
【特許文献】
【０００３】
【特許文献１】特許第３８８５０５７号公報
【発明の概要】
【発明が解決しようとする課題】
【０００４】
ところが、その後も鋭意検討を重ねた結果、上記公知発明の構成では未だ改良すべき下記諸問題のあることが判明した。
【０００５】
即ち、先ず第１に固形食材（Ｍ）の蜜漬け中にある糖蜜（Ｓ）の糖度（ブリックス）を検知する糖度センサー（２１）が、煮釜（１）の胴面（１ａ）と電気ヒーター（２ａ）（２ｂ）並びにその断熱材（３）を貫通する差し込み状態に取り付け固定されているため、その糖度センサー（２１）のプリズムを固形食材（Ｍ）の蜜漬け加熱中（装置の運転中）に清掃作業することができない。
【０００６】
そのプリズムの清掃作業時には、固形食材（Ｍ）が収容されている煮篭（Ｃ）を煮釜（１）から吊り出すと共に、その煮釜（１）から糖蜜（Ｓ）を抜き出さなければならないからである。
【０００７】
第２に、糖蜜用排液管路（４９）における循環ポンプ（５４）の吐出幹路（５７）から分岐状態に導出された１、２次吐出枝路（５８）（５９）が、その各個の開閉弁（二方弁）（６０）（６１）により切り換えられる組み合わせ式であるため、その誤操作によって循環回路（Ｒ）の全体が閉弁状態となり、循環ポンプ（５４）やその駆動モーター（２２）などの破損するおそれがある。
【０００８】
第３に、蒸気ジャケット（４）が煮釜（１）の底面（１ｂ）だけに配設されており、煮釜（１）の胴面（１ａ）には設置されていないため、その煮釜（１）における容量との関係上、蒸気での加熱力が未だ弱く、固形食材（Ｍ）の１次的な煮炊きとその後の２次的な蜜漬けを熱効率良く遂行することができない。
【０００９】
第４に、糖蜜振り撒き体用駆動モーター（２３）の伝動軸（３３）に対する糖蜜振り撒き体（Ａ）の着脱連結操作や、煮釜（１）に対する煮篭（Ｃ）の出し入れ作業を行なえるようにする構成として、先ずクランプレバー（２９）の操作によりモーター据付け架台（２７）の片持ち支柱（２６）と、取付け台（２４）のスタンド脚筒（２５）との咬み合い状態を解除し、次いで別なハンドル（３０）の操作により、そのスタンド脚筒（２５）から上記片持ち支柱（２６）を上昇させ、更に一定角度（β）だけ旋回させるようになっているため、その言わば３段階の操作上甚だ煩らわしく重労働となり、不便でもある。
【００１０】
第５に、固形食材（Ｍ）を収容する煮篭（Ｃ）が保形強度に富む篭であれば足り、その好ましい煮篭（Ｃ）として落し蓋（Ｂ）と組み立て使用される篭本体（Ａ）の構成でも、底面が全然開閉しないため、煮炊き終了した固形食材（Ｍ）や蜜漬け終了した固形食材（Ｍ）の全体を、煮篭（Ｃ）から安楽にすばやく取り出すことができず、その大量処理上の作業能率に劣る問題もある。
【課題を解決するための手段】
【００１１】
本発明はこのような諸問題の改良を目的としており、その目的を達成するために請求項１では固形食材の蜜漬け用糖蜜を貯溜する断面ほぼＵ字形の煮釜と、
【００１２】
その煮釜における胴面の下部と底面を連続的に包囲する蒸気ジャケットと、
【００１３】
同じく煮釜における胴面の上部へ包囲状態に巻き付けられた面状電気ヒーターと、
【００１４】
上記固形食材や糖蜜の加熱温度を検知すべく、煮釜における胴面の下部へ蒸気ジャケットを貫通する状態に差し込み固定された接触式の加熱温度センサーと、
【００１５】
上記蒸気ジャケットから導出された蒸気供給管路並びにその中途部へ並列状態に介挿設置された複数の開閉用電磁弁と、
【００１６】
上記煮釜の底面から蒸気ジャケットを一旦貫通して、引き続き分岐状態に導出された煮炊き汁や湯水用の排水管路並びに糖蜜用の排液管路と、
【００１７】
その排液管路の中途部に介挿設置された強制循環ポンプ並びにその回転駆動モーターと、
【００１８】
その循環ポンプの吐出幹路から引き続き分岐状態に導出されて、上記煮釜における胴面の上端部付近に開口する１次吐出枝路並びに煮釜の開口上面に向かって迂回する２次吐出枝路と、
【００１９】
上記煮釜における胴面の上端部付近へ片持ち状態に設置された水平なモーター据付け架台と、
【００２０】
そのモーター据付け架台が煮釜の上面中央部を指向して張り出す先端部に搭載された糖蜜振り撒き体用駆動モーターと、
【００２１】
その駆動モーターから垂下する出力軸と一体回転し得る伝動軸の下端部へ、着脱自在に連結一本化された糖蜜振り撒き体用回転支軸と、
【００２２】
多数の糖蜜流通孔が胴面に開口分布された円形の篭から成るものとして、上記回転支軸の下端部へ組み付けユニット化された糖蜜振り撒き体と、
【００２３】
上記糖蜜振り撒き体用回転支軸の包囲可能な二重円筒形として、その内外相互間隙の中途高さ位置が上記２次吐出枝路の先端部に連通接続された糖蜜吐出ノズルと、
【００２４】
上記煮釜の開口上面に向かって送風すべく、その煮釜における胴面の上端部付近に固定支持された水分蒸発促進用冷却ファンとを備え、
【００２５】
上記固形食材が収容された形崩れ防止用煮篭の複数を、その積み重ね静置状態として煮釜内の糖蜜に漬け込んで、上記蒸気のみか又は蒸気と電気による加熱中、
【００２６】
その糖蜜を上記循環ポンプの駆動により煮釜の底面から排液管路の吐出幹路と２次吐出枝路を経て、その先端部の糖蜜吐出ノズルまで圧送する強制的な対流・撹拌作用と、その糖蜜吐出ノズルから煮釜内への帰還状に吐出する糖蜜を、上記糖蜜振り撒き体の回転遠心力により振り落とす拡散作用と、上記冷却ファンの回転風力による蒸気の吹き飛ばし排気作用とを与えて、その糖蜜の液面から水分を積極的に蒸発させる固形食材の蜜漬け加熱装置において、
【００２７】
上記吐出幹路の中途部へインライン型屈折率計から成る糖度センサーを、そのプリズムへの糖蜜導入用配管ヘッダーを介して着脱自在に接続固定するに当り、
【００２８】
上記糖度センサーにおけるプリズムへの接液口が形成されたサファイアアダプターの先端部から、フェルールを一体的に張り出す一方、
【００２９】
上記吐出幹路の中途部に一対のフェルールを張り出し形成しておき、
【００３０】
糖蜜導入用配管ヘッダーのヘッダー本体をその内部中央に糖蜜導入ガイド壁が垂立するほぼシルクハット形に造形して、そのヘッダー本体の取付け部に対応形成したフェルールを上記糖度センサー側のフェルールへ、クランプバンドによって着脱自在に締結一体化すると共に、
【００３１】
上記ヘッダー本体の胴面から相反する方向へ張り出す一対の分岐管の先端部に対応形成したフェルールを上記吐出幹路側のフェルールへ、やはりクランプバンドによって着脱自在に締結一体化し、
【００３２】
上記配管ヘッダーにおける一方の分岐管から他方の分岐管へ流動する糖蜜を、その糖蜜導入ガイド壁により上記糖度センサーのプリズムと接触する方向へ自づと迂回導入させるように定めたことを特徴とする。
【００３３】
又、請求項２では煮釜における胴面の上端部付近へ水平な減速機用支持架台を溶接一体化して、その支持架台又はこれからの水平な延長架台上へ、直交軸型の減速機又はギヤードモーターを取り付け固定する一方、
【００３４】
糖蜜振り撒き体用駆動モーターが搭載されたモーター据付け架台の基端部から一体的に垂下する片持ち支柱の下端部を、上記ギヤードモーター又は減速機の出力軸上に嵌め付け一体化して、
【００３５】
同じくギヤードモーター又は減速機の入力軸上に嵌め付け一体化した回動ハンドルを回動操作すれば、上記モーター据付け架台の片持ち支柱が上記出力軸を水平の枢支点として約９０度の一定角度だけ回動作用し、そのモーター据付け架台を上記煮釜の開口上面から廻し起し退避させることができるように定めたことを特徴とする。
【００３６】
請求項３では煮釜の据付け台に固定された直管型の下側ポールと、その下側ポールへ一定角度だけ旋回し得る同芯嵌合状態に組み立てられたほぼ倒立Ｌ字形の上側ポールとから成るチエンホイスト用支持ポールを、上記据付け台から糖蜜振り撒き体用駆動モーターの据付け架台よりも背高く垂立させて、その上側ポールの先端部に電動チエンホイストを取り付ける一方、
【００３７】
各煮篭の篭本体を円形の胴面と底面とから成る断面ほぼＵ字形に造形して、その底面の直径方向に沿い一定帯幅だけ横断する水平な固定仕切り板の中心部から、上記電動チエンホイストのハンガーフックへ係脱自在に係止し得る多孔芯筒を上向き一体的に垂立させると共に、
【００３８】
上記篭本体の底面における固定仕切り板の平行なストレート縁部へ複数づつの蝶番により、対称な一対の可動底板を開閉自在に枢着して、
【００３９】
上記電動チエンホイストのハンガーフックを蜜漬け終了した固形食材の収容状態にある篭本体の多孔芯筒へ係止して、煮釜の内部から吊り出した上、その篭本体の両可動底板を開放させることができるように定めたことを特徴とする。
【００４０】
請求項４では固形食材の形崩れ防止用煮篭を篭本体と、その内部へ落し込める大きさの相似な円形蓋体とから成る１組として、
【００４１】
１本の金属線材から屈曲するほぼＵ字形をなし、且つそのＵ字形の切り離し両端部が直線状の水平な差込み枢軸により連結された把手の複数を、上記蓋体へ直径方向に沿う進退スライド自在に取り付け、
【００４２】
その各把手の差込み枢軸を進出操作して、上記篭本体の胴面に開口分布する目孔へ差し込み係止させることにより、上記蓋体をその篭本体との固定維持状態に使用し得る一方、
【００４３】
同じく各把手の差込み枢軸を上記篭本体の目孔から内向きに抜き出し退避させることにより、上記蓋体をその篭本体内での自由自在に昇降する落し蓋としても使用できるように定めたことを特徴とする。
【００４４】
更に、請求項５では糖蜜用排液管路の吐出幹路から分岐状態に導出された１、２次吐出枝路の切り換えを、Ｌポートの三方弁によって行なえるように定めたことを特徴とする。
【発明の効果】
【００４５】
請求項１の上記構成によれば、固形食材の蜜漬け加熱中にある糖蜜の糖度（ブリックス値）を検知する糖度センサーが、インライン型（プロセス）屈折率計から成るものとして、そのプリズムへの糖蜜導入（接液）用配管ヘッダーを介して、上記糖蜜用排液管路における吐出幹路の中途部へ着脱自在に接続固定されているため、糖度センサーのプリズムを清掃作業する場合に、上記吐出幹路の中途部から配管ヘッダーを取りはずして、その糖度センサーのプリズムを露出させれば良く、冒頭に述べた従来技術のように、固形食材が収容されている煮篭を煮釜から吊り出すと共に、その煮釜から糖蜜を抜き出す必要はない。
【００４６】
その場合、上記排液管路における循環ポンプの吐出側から煮釜の内部へ帰還状に流動する方向・過程の糖蜜を、その配管ヘッダーにおけるヘッダー本体の中央部に垂立する糖蜜導入ガイド壁により、糖度センサーのプリズムと必らず接触（接液）する導入方向へ、自づと迂回（屈曲）させることができ、その結果糖度（ブリックス値）の検知性能や安定性が著しく向上する。
【００４７】
しかも、配管ヘッダーにおけるヘッダー本体の取付け部（基端部）を糖度センサーにおけるサファイアアダプターの先端部へ、そのヘッダー本体の胴面から相反方向（左右方向）へ導出された両分岐管の先端部を、上記排液管路における吐出幹路の中途部に残る対応的な先端部へ、各々フェルールとそのフェルール同士のクランプバンドによって、着脱自在に締結一体化することができ、その接続や分解の諸作業をすばやく簡便に行なえる効果もある。
【００４８】
又、請求項２の構成を採用するならば、直交軸型減速機又はギヤードモーターの入力軸上に嵌め付けた回動ハンドルの回動操作により、糖蜜振り撒き体用駆動モーターの据付け架台やその煮釜に対する片持ち支柱を、煮釜の開口上面から退避する廻し起し状態へ、又はその逆に煮釜の開口上面に張り出す使用状態へ、各々一挙に変換することができ、冒頭に述べた従来技術のような３段階の煩らわしい操作が不要となり、大変便利である。
【００４９】
請求項３の構成を採用するならば、固形食材の蜜漬け加熱を終了した場合、チエンホイスト用支持ポールの上側ポールを下側ポールに対して旋回させることにより、その電動チエンホイストのハンガーフックを固形食材の収容状態にある篭本体の多孔芯筒へ係止して、その煮篭を煮釜から外部へ吊り出した後、予じめ用意した別な収容ケースまで下降させた未だ宙吊り状態のままで、上記篭本体の可動底板を開放操作することにより、蜜漬け終了した固形食材を篭本体から上記収容ケースへ、瞬時に洩れなく移し入れることができ、従来技術のように煮篭の蓋体を取りはずすと共に、その後篭本体を上下反転させる（裏返す）必要がなく、煮篭からの取り出し作業性並びに大量処理上の利便性に著しく優れる。
【００５０】
請求項４の構成を採用するならば、例えば固形食材が甘納豆の原料である豆類として、その１次的な煮炊きと引き続く２次的な蜜漬け加熱を行なうような場合に、煮篭の蓋体をその篭本体内への落し蓋として自由に昇降し得る状態と、同じく篭本体内の一定深さ位置へ組み付け固定した状態に、すばやく使い分けることができ、このような使い分けは固形食材の種類やその他の条件に応じても行なえるため、著しく便利である。
【００５１】
更に、請求項５の構成を採用するならば、糖蜜の循環回路が全体的に閉弁状態となる誤操作を生じず、その結果循環ポンプやその駆動モーターなどの破損事故を招来するおそれもない。
【図面の簡単な説明】
【００５２】
【図１】本発明に係る蜜漬け加熱装置の概略全体を示す正面図である。
【図２】図１の側面図である。
【図３】図１の平面図である。
【図４】図１の部分拡大図である。
【図５】図４から糖蜜振り撒き体を廻し起し退避させた状態の部分拡大図である。
【図６】図３から蒸気供給管路と排水管路を抽出して示す拡大平面図である。
【図７】蜜漬け用トップカバーの取付状態を示す図３に対応する平面図である。
【図８】図１の一部破断正面図である。
【図９】同じく図１の一部破断側面図である。
【図１０】１、２吐出枝路の切り換え用三方弁を抽出して示す側面図である。
【図１１】糖蜜吐出ノズルと糖蜜振り撒き体との取付関係を抽出して示す断面図である。
【図１２】図１１の１２−１２線断面図である。
【図１３】図１１の糖蜜振り撒き体を抽出して示す半欠截断面図である。
【図１４】図１３の上段篭を抽出して示す平面図である。
【図１５】図１４の１５−１５線断面図である。
【図１６】図１３の下段篭を抽出して示す平面図である。
【図１７】図１６の１７−１７線断面図である。
【図１８】糖度センサーを抽出して示す正面図である。
【図１９】図１８の背面図である。
【図２０】図１９の２０−２０線断面図である。
【図２１】糖蜜用排液管路に対する糖度センサーの取付状態を抽出して示す正面図である。
【図２２】図２１の平面図である。
【図２３】図２１の側面図である。
【図２４】トップカバー用支持ステーを抽出して示す平面図である。
【図２５】図２４の正面図である。
【図２６】図２４の２６−２６線断面図である。
【図２７】チエンホイスト用支持ポールを抽出して示す正面図である。
【図２８】上側ポールと下側ポールとの嵌合部分を抽出して示す断面図である。
【図２９】煮篭の篭本体を抽出して示す平面図である。
【図３０】図２９の底面図である。
【図３１】図２９の側面図である。
【図３２】図３１の部分拡大図である。
【図３３】図３２の側面図である。
【図３４】図２９の３４−３４線に沿う拡大断面図である。
【図３５】煮篭の蓋体を抽出して示す平面図である。
【図３６】図３５の３６−３６線に沿う拡大断面図である。
【図３７】固形食材の煮炊き作用状態を示す説明図である。
【図３８】固形食材の蜜漬け作用状態を示す説明図である。
【図３９】本発明の電気制御回路図である。
【図４０】同じく電気制御回路図である。
【図４１】同じく電気制御回路図である。
【発明を実施するための形態】
【００５３】
以下、図面に基いて本発明の具体的構成を詳述すると、その本発明に係る蜜漬け加熱装置の概略全体を示した図１〜１０において、（Ｔ）はステンレス鋼板（ＳＵＳ３０４）から成る円筒形胴面（１）と円錐受け皿形底面（２）との突き合わせ溶接やその他の加工によって断面ほぼＵ字形に作成された煮釜であり、図示の一例では約８００mmの内径と約１１６５mmの深さ並びに約５００リットルの容量（仕込み量：４斗）を有する。
【００５４】
（３）は上記煮釜（Ｔ）の開口上面から約１７０mmだけ下がった中途高さ位置において、その胴面（１）へ補強連結板（フラットバー）（４）を介して溶接一体化された水平な減速機用支持架台であり、図３、７のような平面視の四角形を呈している。
【００５５】
そして、このような支持架台（３）自体の前右角隅部又はその前右角隅部から張り出す延長架台（５）の上面に後述するモーター据付け架台の廻し起し用減速機が取り付け固定されることとなるほか、同じく支持架台（３）自体の別な前左角隅部付近から張り出す支持ステー（６）によって、後述するチエンホイスト用支持ポールの中途高さ位置が受け持ち固定されることになる。
【００５６】
（７ａ）は上記水平な減速機用支持架台（３）から一体的に垂下された円形の上側カバーステー、（７ｂ）は上記煮釜（Ｔ）の開口上面から約７７０mmだけ下がった中途高さ位置において、その胴面（１）から一体的に張り出された円形の下側カバーステーであり、これらカバーステー（７ａ）（７ｂ）同士の上下相互間に介在する上下一対の面状電気ヒーター（８ａ）（８ｂ）が、その煮釜（Ｔ）の胴面（１）へ密着状態に巻き付けられている。
【００５７】
図示の一例では、その両電気ヒーター（８ａ）（８ｂ）が互いに同じ１０ｋｗのバンドヒーターから成り、これを煮釜（Ｔ）における固形食材（Ｍ）の収容量やその他の条件に応じ、その上下一対の合計２０ｋｗとして又は下側だけの１０ｋｗとして選択使用することができるようになっている。（９）はその両電気ヒーター（８ａ）（８ｂ）を包囲する断熱材（ブランケット）であり、言うまでもなく煮釜（Ｔ）の胴面（１）に巻き付け固定されている。
【００５８】
（１０）は上記煮釜（Ｔ）の胴面（１）における下側カバーステー（７ｂ）よりも下部と、同じく底面（２）の全体とを連続的に包囲する気密状態に溶接一体化された蒸気ジャケットであり、複数の脚柱（１１）によって水平な据付け台（１２）の約左半部に固定支持されている。煮釜（Ｔ）に収容された固形食材（Ｍ）を、その煮釜（Ｔ）の底面（２）からだけでなく、胴面（１）における下側の約３分の１からも蒸気によって早く、且つ強力に加熱することができるようになっているのである。
【００５９】
尚、上側カバーステー（７ａ）と下側カバーステー（７ｂ）には断熱用の安全カバー（図１、２の鎖線参照）が係脱自在に係止されており、これによって上記煮釜（Ｔ）の両電気ヒーター（８ａ）（８ｂ）のみならず、その下部位置にある蒸気ジャケット（１０）の胴面も安全に包囲されている。
【００６０】
（１３）は煮釜（Ｔ）の底面（２）と、蒸気ジャケット（１０）の対応的な底面との相互間へ、図８、９のような垂立状態に溶接一体化された多数の補強棒であり、煮釜（Ｔ）の耐荷力を向上させている。（１４）は上記据付け台（１２）の残る右半部から一体的に立設された電気制御ボックス用支持枠であり、図３９〜４１のような電気制御回路（基板）を備えた開閉扉（１５）付き電気制御ボックス（１６）がその支持枠（１４）の上面に搭載されている。（１７）は上記据付け台（１２）の昇降脚座であり、その複数によって作業床への据付け高さと水平度を調整できるようになっている。
【００６１】
又、（１８）は上記蒸気ジャケット（１０）の中央部に内蔵設置された水平なリング状の蒸気吹出し管であり、その円周面には多数の放射状蒸気吹出し孔（１９）が開口分布されている。（２０）はその蒸気吹出し管（１８）から蒸気ジャケット（１０）の底面を貫通して、図３、６のような後向き水平に導出された蒸気供給管路であり、その入口部が開閉弁（ゲートバルブ）（２１）を介してボイラーなどの蒸気供給源へ接続使用されることになる。（２２）は蒸気ジャケット（１０）の底面から導出された腹水用ドレン管、（２３）はその手動開閉弁（ボールバルブ）である。
【００６２】
（２４ａ）（２４ｂ）は上記蒸気供給管路（２０）の中途部（分岐管部）に介挿設置された左右一対の電磁弁、（２５）は同じく中途部に介在する１個の開閉弁（ゲートバルブ）であって、これらから形成された全体的な並列回路を切り換え操作して使用できるようになっている。（２６）はその両電磁弁（２４ａ）（２４ｂ）の入口側に介在する開閉弁（ゲートバルブ）、（２７）は蒸気供給管路（２０）の配管ブラケットであり、上記据付け台（１２）から一体的に起立している。尚、蒸気ジャケット（１０）から蒸気供給管路（２０）と別個に導出された配管上の圧力計や安全弁、エアートラップなどは図示省略してある。
【００６３】
（２８）は上記煮釜（Ｔ）の胴面（１）とその蒸気ジャケット（１０）を貫通する水平の差し込み固定状態に取り付けられた接触式の加熱温度センサーであって、抵抗温度計（白金測温抵抗体）などから成り、煮炊き中にある固形食材（Ｍ）の加熱温度やその蜜漬け中にある糖蜜（Ｓ）の加熱温度を検知する。
【００６４】
そして、図３９〜４１の電気制御回路に示す如く、その加熱温度センサー（２８）からの検知出力信号を受けたコントローラー（シーケンサー）（２９）により、上記蒸気供給管路（２０）に介挿設置されている複数の電磁弁（２４ａ）（２４ｂ）を開閉制御する一方、上記電気ヒーター（８ａ）（８ｂ）の電源をオン・オフ制御し、蒸気供給量などの加熱力を自動調整できるようになっている。
【００６５】
更に、（３０）は上記減速機用支持架台（３）における前右角隅部の上面又はその前右角隅部から張り出す水平な延長架台（５）の上面へ、複数のボルト（図示省略）などにより取り付け固定された直交軸型の減速機又はギヤードモーターであって、その直交状態での噛合回転する入力軸（モーター軸）（３１）と出力軸（ギヤ軸）（３２）を具備している。
【００６６】
（３３）は上記支持架台（３）又はその延長架台（５）の真上位置から煮釜（Ｔ）の上面中央部を指向する張り出し状態に延在する水平なモーター据付け架台であり、その先端部に糖蜜振り撒き体用駆動モーター（３４）が搭載されている。（３５）はそのモーター据付け架台（３３）に被着されたモーターカバーである。
【００６７】
他方、同じくモーター据付け架台（３３）の基端部からは片持ち支柱（３６）が一体的に垂下しており、その片持ち支柱（３６）の下端部は上記減速機又はギヤードモーター（３０）の出力軸（ギヤ軸）（３２）上に嵌め付け一体化されている。そして、その減速機又はギヤードモーター（３０）の入力軸（モーター軸）（３１）上には回動ハンドル（３７）が嵌め付けられており、これを回動操作すれば、上記モーター据付け架台（３３）の片持ち支柱（３６）が図４から図５のように、減速機又はギヤードモーター（３０）の出力軸（ギヤ軸）（３２）を水平の枢支点として、約９０度の一定角度（α）だけ回動作用し、そのモーター据付け架台（３３）を煮釜（Ｔ）の開口上面から廻し起し退避させることができ、延いては後述の駆動モーター（３４）に対する糖蜜振り撒き体（Ａ）の着脱作業や、煮釜（Ｔ）に対する煮篭（Ｃ）の出し入れ作業などを支障なく行なえるようになっている。尚、逆に図５から図４の使用状態へ回動操作することも勿論可能である。
【００６８】
上記糖蜜振り撒き体用駆動モーター（３４）はインバーター（３８）によって変速制御される中空ギヤードモーターから成り、そのモーター据付け架台（３３）から煮釜（Ｔ）の中央部に向かって垂下する出力軸（図示省略）の下端部には、図１１のような一定長さの伝動軸（３９）が一体回転し得るように連結一本化されている。（４０）はその伝動軸（３９）を受け持つ上下一対のラジアルベアリング、（４１）は同じくスラストベアリング、（４２）はそのベアリングケースであり、上記モーター据付け架台（３３）の下面に取り付けられている。（４３）はそのベアリングケース（４２）の固定カバーである。
【００６９】
又、（４４）は一定長さの糖蜜振り撒き体用回転支軸であって、その上端部のソケット（４５）が上記伝動軸（３９）の下端部へ着脱自在に連結一本化されている。（４６）はストッパーである。そして、回転支軸（４４）の下端部に糖蜜振り撒き体（Ａ）が組み付けユニット化されている。その糖蜜振り撒き体（Ａ）は煮釜（Ｔ）内にある糖蜜（Ｓ）の液面（Ｌ−Ｌ）へ、図８、９のように上方から臨むこととなる。
【００７０】
茲に、糖蜜振り撒き体（Ａ）は固形食材（Ｍ）の蜜漬け中、上記駆動モーター（３４）により回転されて、煮釜（Ｔ）の内部へ上方から糖蜜（Ｓ）を振り落とし拡散させ、固形食材（Ｍ）の糖度が高くなるに連れて、その糖蜜（Ｓ）の液面（Ｌ−Ｌ）に皮膜が生成されることにより、水分の蒸発が遮断されてしまうことを予防するものであり、具体的には図１１〜１７のような多数の糖蜜流通孔（４７）が胴面に開口分布する比較的浅い円形の篭（４８ａ）（４８ｂ）として、その上下２段を予じめ上記回転支軸（４４）へ積み重ね状態に組み付け一体化している。
【００７１】
更に言えば、その糖蜜振り撒き体（Ａ）となる上段篭（４８ａ）の底面はパンチングメタルとして、複数の糖蜜落下孔（４９）が開口分布されているに反し、同じく振り撒き体（Ａ）となる下段篭（４８ｂ）の底面はこのような糖蜜落下孔（４９）を具備しない盲目状態にあり、その何れも回転支軸（４４）の回転遠心力を受けて、胴面の糖蜜流通孔（４７）から糖蜜（Ｓ）を周辺へ振り飛ばし拡散させることができるようになっている。
【００７２】
（５０）は上記下段篭（４８ｂ）の底面に溶接一体化された金属線材の接地用脚枠、（５１）は同じく下段篭（４８ｂ）の底面中央部と上段篭（４８ａ）の底面中央部へ、各々溶接一体化された軸受け環であり、これらに上記回転支軸（４４）を差し込み貫通させた上、止めネジ（５２）によって着脱自在に固定されている。但し、糖蜜振り撒き体（Ａ）の構成としては上記作用を営なめる限り、その上下２段の何れか一方を省略したり、或いは逆にその３段以上の積み重ね状態に増加したりしても良い。
【００７３】
他方、（５３）は上記煮釜（Ｔ）の胴面（１）における減速機用支持架台（３）よりも上部から、図３、７、８のように左方向へ導出された給水管路であり、その入口部が手動開閉弁（ボールバルブ）（５４）を介して、水道の蛇口やその他の給水源へ接続使用されることになる。（５５）は同じく煮釜（Ｔ）における底面（２）の中央部から蒸気ジャケット（１０）の貫通状態に垂下して、上記蒸気供給管路（２０）と逆な前向き水平に導出された排水口筒、（５６）はその排水口筒（５５）の配管サポート、（５７）は上記煮釜（Ｔ）の底面（２）と、蒸気ジャケット（１０）の対応的な底面との相互間へ、垂立状態に溶接一体化された耐荷用補強筒であり、上記排水口筒（５５）を包囲している。
【００７４】
そして、上記排水口筒（５５）の先端部（前端部）からは図１〜３や図６〜９のように、固形食材（Ｍ）の煮炊き後における煮汁や湯水の排水管路（５８）と、引き続く蜜漬け後における糖蜜（Ｓ）の排液管路（５９）とが、相反する左右方向への分岐状態として水平に導出されている。（６０）（６１）はその分岐状態にある両管路（５８）（５９）を切り換える手動開閉弁（ボールバルブ）である。
【００７５】
又、（６２）は上記排水口筒（５５）から右方向へ分岐する排液管路（５９）の中途部に介挿された強制循環ポンプであって、据付け台（１２）の約右半部に据え付け固定されており、上記煮釜（Ｔ）内での煮炊き中にある煮汁や湯水と、同じく蜜漬け中にある糖蜜（Ｓ）をその煮釜（Ｔ）の排水口筒（５５）から吸入することになる。
【００７６】
茲に、循環ポンプ（６２）はインバーター（６３）によって制御されるロータリーポンプ、就中可変容量型のトロコイドポンプから成り、そのローター（図示省略）が循環ポンプ用駆動モーター（６４）によって回転される。その駆動モーター（６４）は上記電気制御ボックス用支持枠（１４）の枠内に固定設置されており、その出力軸が伝動カップリング（６５）を介して、循環ポンプ（６２）のローターと連結一体化されている。
【００７７】
（６６）は上記糖蜜（Ｓ）の排液管路（５９）における循環ポンプ（６２）の吐出側から図７〜１０のように、Ｔポートの第１三方弁（６７）を介して一旦上向きに分岐し、引き続き電気制御ボックス用支持枠（１４）の前面を水平に横架した後、煮釜（Ｔ）の胴面（１）や電気制御ボックス（１６）の左側面に沿って上向き垂立状態に配管された吐出幹路であり、その先端部（上端部）からは更にＬポートの第２三方弁（６８）を介して、図１〜３や図８、９のような煮釜（Ｔ）の胴面（１）における上記減速機用支持架台（３）よりも上部へ斜め下向きに開口する１次吐出枝路（６９）と、同じく煮釜（Ｔ）の開口上面に向かって迂回する２次吐出枝路（７０）とが分岐状態に延長配管されている。
【００７８】
そのため、上記吐出幹路（６６）から分岐した１、２次吐出枝路（６９）（７０）の切り換えを第２三方弁（６８）の操作によって、又排液管路（５９）から吐出幹路（６６）に向かう糖蜜（Ｓ）の循環とその排液との切り換えを第１三方弁（６７）の操作によって、各々簡便に行なえるのであり、後述する循環回路（Ｒ）の全体が閉弁状態となる誤操作を生じないので、上記循環ポンプ（６２）やその駆動モーター（３４）などの破損事故も起らない。
【００７９】
特に、２次吐出枝路（７０）は図８、９に示す如く、その吐出幹路（６６）から上記糖蜜振り撒き体用駆動モーター（３４）の据付け架台（３３）とほぼ同一設置高さとして、一旦煮釜（Ｔ）よりも背高く張り出し屈曲された後、再び上記伝動軸（３９）とほぼ平行に垂下しており、しかもその２次吐出枝路（７０）の先端部（下端部）が糖蜜吐出ノズル（７１）を形作っているのである。
【００８０】
その糖蜜吐出ノズル（７１）は図１１、１２のような糖蜜振り撒き体用回転支軸（４４）を包囲する二重の円筒形として、その内外相互間隙（７２）の中途高さ位置に上記２次吐出枝路（７０）が連通接続状態に固定一体化されており、その吐出ノズル（７１）の内外相互間隙（７２）から上記糖蜜振り撒き体（Ａ）の就中上段篭（４８ａ）内へ、糖蜜（Ｓ）が吐出されるようになっている。その糖蜜（Ｓ）は既に説明したとおり、振り撒き体（Ａ）の回転遠心力よって煮釜（Ｔ）の内部へ、上方から振り落とし拡散されることになる。（７３）は上記吐出ノズル（７１）における内外相互間隙（７２）の上端部に介挿設置されたＯリングである。
【００８１】
つまり、上記糖蜜（Ｓ）の排液管路（５９）だけは図示のように、その中途部の循環ポンプ（６２）と吐出幹路（６６）並びに１、２次吐出枝路（６９）（７０）とから成る循環回路（Ｒ）として配管されており、煮釜（Ｔ）内での煮炊き中にある煮汁や湯水と、引き続き同じ煮釜（Ｔ）内での蜜漬け中にある糖蜜（Ｓ）を、その煮釜（Ｔ）の外部から何れも強制的に撹拌・対流させて、これらの加熱ムラを無くすと共に、糖蜜（Ｓ）からの水分蒸発作用を促進し得るようになっているのである。
【００８２】
更に言えば、固形食材（Ｍ）の１次的な煮炊き中には図３７のように、上記第２三方弁（６８）の切り換え操作により、２次吐出枝路（７０）を閉鎖し、１次吐出枝路（６９）を開放して、煮釜（Ｔ）内の煮汁や湯水を上記排液管路（５９）の循環ポンプ（６２）に吸入し、その吐出幹路（６６）から１次吐出枝路（６９）を通じて、煮釜（Ｔ）における胴面（１）の上部位置から帰還状態に吐出することにより、その煮汁や湯水を煮釜（Ｔ）内での全体的に撹拌・対流させる。
【００８３】
そして、引き続く固形食材（Ｍ）の２次的な蜜漬け中には図３８のように、糖蜜振り撒き体（Ａ）を回転駆動する一方、やはり第２三方弁（６８）の切り換え操作により、逆に１次吐出枝路（６９）を閉鎖し、２次吐出枝路（７０）を開放して、煮釜（Ｔ）内の糖蜜（Ｓ）を循環ポンプ（６２）により、その煮釜（Ｔ）の排水口筒（５５）から排液管路（５９）の吐出幹路（６６）と２次吐出枝路（７０）を通じて圧送し、その２次吐出枝路（７０）の先端部をなす糖蜜吐出ノズル（７１）から、上記回転中にある糖蜜振り撒き体（Ａ）へ吐出させることにより、その回転遠心力とも相俟って糖蜜（Ｓ）を振り落とし拡散させ、煮釜（Ｔ）内にある糖蜜（Ｓ）の液面（Ｌ−Ｌ）を積極的に波立たせて、その液面（Ｌ−Ｌ）からの水分蒸発作用を促進し、ここに皮膜が生成することを防ぐのである。
【００８４】
この点、図示の実施形態では上記１次吐出枝路（６９）を１本として、煮釜（Ｔ）における胴面（１）の１個所へ、好ましくは給水管路（５３）と向かい合う位置関係のもとに開口させているが、その１次吐出枝路（６９）を複数本として煮釜（Ｔ）の胴面（１）へ、平面視の全体的な放射対称分布型に点在開口させても良い。そうすれば、固形食材（Ｍ）の１次的な煮炊き中にある煮汁や湯水を、その煮釜（Ｔ）内での全体的に一層効率良く撹拌・対流させることができ、加熱ムラの予防効果がますます向上する。
【００８５】
尚、詳細な説明は省略するが、上記糖蜜（Ｓ）の排液管路（５９）とこれから分岐する吐出幹路（６６）並びに１、２次吐出枝路（６９）（７０）は、シリコンブレードホース（７４）やそのホースアダプター（７５）、クランプバンド（７６）などを使用して、着脱自在に連結配管されており、その連結部分から取りはずし、保守・点検や交換などを行なうこともできるようになっている。
【００８６】
上記糖蜜（Ｓ）の排液管路（５９）における循環ポンプ（６２）の吐出側から分岐された吐出幹路（６６）の中途部は、電気制御ボックス用支持枠（１４）の前面を水平に横架していると説明したが、このような吐出幹路（６６）の中途部には糖度センサー（Ｂ）が介挿設置されており、これによって固形食材（Ｍ）の蜜漬け中にある糖蜜（Ｓ）の糖度（ブリックス値）を検知し、その糖度センサー（Ｂ）からの検知出力信号を受けた上記コントローラー（シーケンサー）（２９）により、上記循環ポンプ用駆動モーター（６４）の回転数と糖蜜振り撒き体用駆動モーター（３４）の回転数を調整制御するほか、加熱を止めることもできるようになっている。
【００８７】
茲に、糖度センサー（Ｂ）はインライン型（プロセス）屈折率計であって、図１８〜２０に抽出して示す如く、ステンレス鋼から円筒状に造形された鏡筒（７７）を備え、その内部が言わば検知部として、ここには比較的大型のプリズム（７８）や光源（ＬＥＤ）（７９）のほか、対物レンズ（８０）とリレーレンズ（８１）並びに細い円筒状の遮光シャーシ（８２）から成る光学組立体も設置されており、そのプリズム（７８）と上記吐出幹路（６６）を流動中にある糖蜜（Ｓ）との境界面（接触面）へ、光源（７９）から光を入射して、その光をプリズム（７８）から出射させるようになっている。（８３）はプリズムガスケットである。
【００８８】
他方、（８４）は上記鏡筒（７７）の基端部から張り出す径大な基板支持フランジであり、上記プリズム（７８）から出射した光を検知するイメージセンサー（画像検出器）（ＣＣＤやＣＭＯＳ）（８５）のほか、その検知出力信号から測定された屈折率を糖度（ブリックス値）に変換する電子回路やその他の必要な電子処理回路を備えたセンサー基板（ＣＰＵ）（８６）も、その基板支持フランジ（８４）に固定設置されている。
【００８９】
（８７）は上記鏡筒（７７）の全体を包囲した保護筒であり、その径大な先端フランジ（８８）にサファイアアダプター（プリズムステージ）（８９）から対応的に張り出す径大な基端フランジ（９０）が接合一体化されている。（９１）はそのサファイアアダプター（８９）の中心部に形成された接液口、（９２）は同じくアダプター（８９）の先端部に張り出し形成されたフェルール、（９３）は上記保護筒（８７）の円周面から張り出された多数の放熱（空冷）フィンである。
【００９０】
又、同じく保護筒（８７）からは上記鏡筒（７７）の基板支持フランジ（８４）を受け止める径大な基端フランジ（９４）と、その基端フランジ（９４）から保護筒（８７）自体よりも太く短かいネジ口筒（９５）とが各々張り出し形成されている。（９６）は耐熱性の配線ボックスであり、上記保護筒（８７）のネジ口筒（９５）へ包囲状態に差し込まれた上、ナット（９７）によって締め付け固定されている。（９８）は熱絶縁材、（９９）は配線ボックス（９６）の開閉蓋であるが、糖度（ブリックス値）の表示部（１００）と操作スイッチ部（１０１）を具備してもいる。（１０２）は電源入力コネクター、（１０３）は出力コネクターであり、上記電気制御ボックス（１６）の電気制御回路（基板）に接続使用される。
【００９１】
更に、糖度センサー（Ｂ）は上記した構成のインライン型（プロセス）屈折率計から成り、そのプロセス溶液である糖蜜（Ｓ）の糖度（ブリックス値）を流動中に検知するため、上記排液管路（５９）における吐出幹路（６６）の中途部へ図２０〜２３のように、糖蜜導入用の配管ヘッダー（Ｈ）を介して着脱自在に接続固定されている。
【００９２】
つまり、糖蜜導入用の配管ヘッダー（Ｈ）はほぼシルクハット形のヘッダー本体（１０４）と、そのヘッダー本体（１０４）の胴面から相反する左右方向へ各々連続的に張り出す一対の分岐管（１０５ａ）（１０５ｂ）とを備え、そのヘッダー本体（１０４）内の中央部に垂立している糖蜜導入ガイド壁（１０６）によって、一方の分岐管（１０５ｂ）から他方の分岐管（１０５ａ）へ流動する糖蜜（Ｓ）を、上記糖度センサー（Ｂ）のプリズム（７８）と接触する方向へ、自づと迂回（屈曲）導入させ得るようになっている。
【００９３】
しかも、その配管ヘッダー（Ｈ）におけるヘッダー本体（１０４）の取付け部（基端部）と両分岐管（１０５ａ）（１０５ｂ）の先端部は、悉くフェルール（１０７）（１０８ａ）（１０８ｂ）として形成されており、そのヘッダー本体（１０４）のフェルール（１０７）を上記糖度センサー（Ｂ）におけるサファイアアダプター（プリズムステージ）（８９）のフェルール（９２）と突き合わせ、クランプバンド（１０９）によって液密状態に締結一体化すると共に、両分岐管（１０５ａ）（１０５ｂ）のフェルール（１０８ａ）（１０８ｂ）を上記糖蜜（Ｓ）の排液管路（５９）における吐出幹路（６６）の中途部に対応形成されたフェルール（１１０ａ）（１１０ｂ）と各々突き合わせ、やはりクランプバンド（１１１ａ）（１１１ｂ）によって液密状態に締結一体化するようになっている。
【００９４】
その結果、上記糖蜜（Ｓ）の排液管路（５９）における循環ポンプ（６２）の吐出側から吐出幹路（６６）と２次吐出枝路（７０）を経て、煮釜（Ｔ）へ圧送される過程の糖蜜（Ｓ）が、その吐出幹路（６６）の中途部に介在する配管ヘッダー（Ｈ）のヘッダー本体（１０４）内を図２０〜２２の矢印方向へ迂回流動して、糖度センサー（Ｂ）のプリズム（７８）と必らず接触することになり、その糖度（ブリックス値）が自づと確実に安定良く検知されるのである。
【００９５】
又、上記糖度センサー（Ｂ）のサファイアアダプター（８９）や排液管路（５９）の吐出幹路（６６）に対する配管ヘッダー（Ｈ）の締結用クランプバンド（１０９）（１１１ａ）（１１１ｂ）を解除して、その配管ヘッダー（Ｈ）を取りはずせば、糖度センサー（Ｂ）のプリズム（７８）が前向きに露出するため、そのプリズム（７８）に付着した砂糖の結晶やその他の異物を支障なく除去することができ、この種清掃作業を行なう際、従来技術のように煮釜（Ｔ）から糖蜜（Ｓ）を抜き出したり、同じく煮釜（Ｔ）から煮篭（Ｃ）を吊り出したりする必要はない。
【００９６】
更に、（１１２）は固形食材（Ｍ）の煮炊き中図３７のように、その煮釜（Ｔ）の開口上面へ着脱自在に嵌め付け使用される蓋板であって、金属板から円形に作成されており、左右一対の上向きに突出する吊り環（１１３）も具備している。
【００９７】
（１１４）は上記糖蜜振り撒き体用駆動モーター（３４）の据付け架台（３３）から一体的に垂下された平行な一対の補強板、（１１５）は煮釜（Ｔ）のトップカバー用支持ステーであって、図２４〜２６に示すような金属線材の円形リング枠（１１６）と、その下面に溶接一体化された平行な一対の取付け板（１１７）とから成り、その取付け板（１１７）が上記モーター据付け架台（３３）の補強板（１１４）へ挟み付け固定されている。
【００９８】
その固定状態では図８、９のように、トップカバー用支持ステー（１１５）を形作る円形リング枠（１１６）の枠内へ、上記糖蜜振り撒き体用駆動モーター（３４）からの伝動軸（３９）と、上記２次吐出枝路（７０）の中途部とが何れもほぼ垂直に貫通することとなり、その支持ステー（１１５）と干渉するおそれはない。
【００９９】
（１１８）は固形食材（Ｍ）の蜜漬け中に、その煮釜（Ｔ）の開口上面を被覆する蜜漬け用のトップカバーであって、複数の金属板から笠型に組み合わされており、その径大な円形の下端開口縁部に付属する複数の係止フック（１１９）が、煮釜（Ｔ）の対応的な開口縁部へ係脱自在に係止される一方、径小な円形の上端開口縁部が上記支持ステー（１１５）の円形リング枠（１１６）へ、言わば凭れ掛け状態に閉合されている。そのため、円形リング枠（１１６）の枠内は開口状態にある。
【０１００】
又、上記笠型に組み合わされたトップカバー（１１８）の後面は、後述する冷却ファンからの吸気口（１２０）として開放されているほか、同じくトップカバー（１１８）における前部の上面が煮釜（Ｔ）からの排気口（１２１）として、蒸気を排出できる開放状態にある。尚、上記トップカバー（１１８）を形作る各金属板には、図外の把手が設けられているため、これを使って、その支持ステー（１１５）や煮釜（Ｔ）から、トップカバー（１１８）を分解する如く取りはずすこともできる。
【０１０１】
（１２２）は上記煮釜（Ｔ）の胴面（１）に付属している減速機用支持架台（３）から図９に示す如く、一体的に垂立するスタンド脚柱であり、これによって冷却ファン用ダクト（１２３）が固定支持されている。そのダクト（１２３）が上記トップカバー（１１８）の吸気口（１２０）と合致連通していることは、言うまでもない。
【０１０２】
そして、上記ダクト（１２３）にはＬ字形の受け枠（１２４）を介して、糖蜜（Ｓ）からの水分蒸発促進用冷却ファン（１２５）が組み付け一体化されており、これを固形食材（Ｍ）の蜜漬け中に回転使用して、その風力や負圧作用（ピトー管の原理）により、煮釜（Ｔ）内の糖蜜（Ｓ）から蒸発する水分を積極的に吹き飛ばし、その液面（Ｌ−Ｌ）からの水分蒸発作用を促進し得るようになっている。
【０１０３】
又、（１２６）は上記煮釜（Ｔ）や蒸気ジャケット（１０）などを支持する据付け台（１２）の前左角隅部付近から図１のように、糖蜜振り撒き体用駆動モーター（３４）の据付け架台（３３）よりも背高く一体的に垂立されたチエンホイスト用支持ポールであって、図２７、２８に抽出して示す如く、ほぼ倒立Ｌ字形に屈曲する上側ポール（１２６ａ）と、上記据付け台（１２）への固定座（１２７）を有する直管型下側ポール（１２６ｂ）との同芯嵌合状態に組み立てられており、その下側ポール（１２６ｂ）に対して上側ポール（１２６ａ）の先端部を一定角度（例えば約１５０度）（β）だけ旋回（方向変換）し得るようになっている。
【０１０４】
（１２８）は下側ポール（１２６ｂ）の上端部に溶接された芯管、（１２９）は上側ポール（１２６ａ）の下端部に溶接された鞘管、（１３０）（１３１）はその両者の嵌合面に介挿された軸受けメタルとスラストベアリング、（１３２）は上記鞘管（１２９）から芯管（１２８）へ抜き差し自在に螺入された固定ボルトであり、これを抜き出した後、鞘管（１２９）に付属している起伏自在のホイストハンドル（１３３）を把持しつつ、上記下側ポール（１２６ｂ）に対する上側ポール（１２６ａ）の旋回操作を行なうことができる。
【０１０５】
更に、（１３４）は上側ポール（１２６ａ）の先端部に取り付けられた電動チエンホイストであり、そのハンガーフック（１３５）へ係脱自在に係止させた煮篭（Ｃ）を、上側ポール（１２６ａ）の旋回操作と相俟って、煮釜（Ｔ）の内部へ吊り込んだり、その煮釜（Ｔ）から外部へ吊り出したりすることができるようになっている。
【０１０６】
先に一言した煮篭（Ｃ）は固形食材（Ｍ）の形崩れ防止用として、篭本体（１３６）とその蓋体（１３７）との１組から成るが、その複数の篭本体（１３６）を煮釜（Ｔ）の内部へ、図８、９のような安定した積み重ね使用状態に保つことができるほか、固形食材（Ｍ）の煮炊き終了時やその後の蜜漬け終了時に、その篭本体（１３６）の底面を開放させて、固形食材（Ｍ）をすばやく取り出すこともできるようになっている。
【０１０７】
上記煮篭（Ｃ）の篭本体（１３６）は図２９〜３４に抽出して示す如く、ステンレス鋼のパンチングメタルや金網、その他の多孔板から、一定の内径（図示の一例では約７５０mm）と深さ（図示の一例では約１８５mm）を有する円筒形に作成されており、しかもその開口上縁部と開口下縁部が各々縁取りリング（１３８）（１３９）によって、同じく篭本体（１３６）の胴面が適当な間隔を保つ複数の縦桟（フラットバー）（１４０）によって、何れも補強されており、歪み変形するおそれはない。
【０１０８】
（１４１）は上記篭本体（１３６）の底面を直径方向に沿って横断する一定帯幅（例えば約１５０mm）（ｗ）の水平な固定仕切り板であり、その中心部からは蓋体（１３７）の昇降ガイド作用を営なめる多孔芯筒（１４２）が、篭本体（１３６）の深さとぼ同じ背丈だけ上向き一体的に垂立されている。
【０１０９】
つまり、蓋体（１３７）の昇降ガイド用多孔芯筒（１４２）は、１本の金属線材を上記篭本体（１３６）の深さよりも背高い倒立Ｕ字形に折り曲げた支柱（１４２ａ）と、その支柱（１４２ａ）の周囲へ円筒形に巻き付け一体化した多孔板（１４２ｂ）とから成り、上記支柱（１４２ａ）の切り離し両端部が外向きに張り出す水平な一対の取付け座（１４２ｃ）として、上記固定仕切り板（１４１）へ差し込み状態に溶接一体化された底無し形態品である。
【０１１０】
そのため、篭本体（１３６）の中心部にも熱湯や糖蜜（Ｓ）を自由自在に導入させることができ、その固形食材（Ｍ）への対流・撹拌作用と伝熱作用を促進させ得るほか、上記多孔芯筒（１４２）の背高く突出する支柱（１４２ａ）を言わばガイド芯として、蓋体（１３７）を篭本体（１３６）の内部へ図３７、３８のように、自づと正しく円滑に落し込んだり、その多孔芯筒（１４２）の支柱（１４２ａ）へ上記電動チエンホイスト（１３４）のハンガーフック（１３５）を係脱自在に係止させて、篭本体（１３６）を煮釜（Ｔ）の内部へ吊り込んだり、又逆に煮釜（Ｔ）から外部へ吊り出したりすることも可能となる。
【０１１１】
尚、上記固定仕切り板（１４１）の周辺部は篭本体（１３６）の胴面と同様の多孔板から成り、熱湯や糖蜜（Ｓ）が自由自在に流通し得る。（１４２ｄ）は上記多孔芯筒（１４２）の多孔板（１４２ｂ）を補強する放射リブである。
【０１１２】
又、（１４３）は上記底面の固定仕切り板（１４１）を挟む位置関係の対称な可動底板であって、互いに同じ大きさと平面輪郭形状（ほぼ弓形）の多孔板から成り、フラットバーの骨組（１４４）によって補強されている。（１４５）は向かい合う一対づつとして並列する複数（図例では合計８個）の蝶番であり、これによって両可動底板（１４３）の平行なストレート縁部が、上記固定仕切り板（１４１）の対応する平行なストレート縁部へ開閉自在に枢着されている。
【０１１３】
（１４６）は両可動底板（１４３）を各々円弧状に縁取り補強している骨組（フラットバー）（１４４）のうち、その固定仕切り板（１４１）と直交する二等分線（Ｏ−Ｏ）上に位置する部分から、上向き一体的に立設された一対の固定フック、（１４７）は上記篭本体（１３６）の胴面を補強している複数の縦桟（フラットバー）（１４０）のうち、その固定フック（１４６）と対応位置する縦桟（１４０）へ水平の支点ピン（１４８）を介して、各々回動自在に枢着された一対の可動フック板であり、その下向き先端フック部（１４７ａ）が上記固定フック（１４６）と係脱自在に係止し得るようになっている。（１４９）は同じく可動フック板（１４７）の上端部に切り欠かれたラッチ棒受け入れ凹溝である。
【０１１４】
そして、上記篭本体（１３６）の縦桟（１４０）における可動フック板（１４７）の真上位置にはラッチ棒（１５０）が、各々上下一対の軸受けサドル（１５１）（１５２）を介して昇降自在に支持されている。（１５３）はそのラッチ棒（１５０）の中途高さ位置から張り出す水平な把手であり、これに操作手を当てがって、ラッチ棒（１５０）を引き上げれば、可動フック板（１４７）がその支点ピン（１４８）を中心に回動可能となり、その先端フック部（１４７ａ）との係止状態を解かれた可動底板（１４３）が、上記固定仕切り板（１４１）から図３４の鎖線で示す如く、自づと吊り下がる伏倒状態に開放することとなる。
【０１１５】
尚、上記可動底板（１４３）の固定フック（１４６）を可動フック板（１４７）の先端フック部（１４７ａ）へ係止させると共に、その可動フック板（１４７）のラッチ棒受け入れ凹溝（１４９）へラッチ棒（１５０）を落し込み係止させることにより、篭本体（１３６）の可動底板（１４３）を閉鎖状態に固定維持し得ることは言うまでもない。
【０１１６】
更に、（１５４）は上記篭本体（１３６）の開口上縁部を補強している縁取りリング（１３８）の中途部へ、起伏的な回動自在に枢着された向かい合う一対の把手であって、各々１本の金属丸棒からほぼチャンネル型に曲成されているため、その両把手（１５４）の連繋索条（図示省略）を上記電動チエンホイスト（１３４）のハンガーフック（１３５）へ係止させることによって、その煮篭（Ｃ）の篭本体（１３６）を煮釜（Ｔ）の内部へ吊り込んだり、或いは煮釜（Ｔ）から外部へ吊り出したりすることができる。
【０１１７】
次に、上記煮篭（Ｃ）の蓋体（１３７）は篭本体（１３６）と同じ多孔板から図３５、３６のように、その篭本体（１３６）の内部へ落し込める大きさ（図示の一例では約７４５mmの外径）の相似な円形に作成されており、その上記多孔芯筒（１４２）を逃し入れることができる中心口（１５５）から、放射対称方向へ派出する十文字状の補強用骨組（フラットバー）（１５６）には、各々一対づつの軸受けサドル（１５７）が溶接一体化されている。
【０１１８】
（１５８）は１本の金属線材からほぼＵ字形に曲成された把手の複数（図示の一例では合計４個）であるが、そのＵ字形の切り離し両端部を結ぶ（Ｕ字形の開放部を閉鎖する）直線状の水平な差込み枢軸（１５９）も具備しており、その各把手（１５８）の差込み枢軸（１５９）が上記骨組（１５６）の軸受けサドル（１５７）へ起伏的な回動自在に、しかも直径方向（横方向）に沿って進退スライドできるように差し込まれている。
【０１１９】
又、（１６０）は上記放射対称方向へ派出する十文字状骨組（１５６）の中途部から、篭本体（１３６）の深さよりも背低い一定長さ（例えば約１００mm）として、一体的に垂下された複数（図示の一例では合計４本）の伝熱脚（丸棒）であり、固形食材（Ｍ）の速やかな加熱とその加熱ムラの防止に役立つ。
【０１２０】
上記蓋体（１３７）の構成によれば、その中心口（１５５）を篭本体（１３６）の多孔芯筒（１４２）へ落し込み、把手（１５８）の差込み枢軸（１５９）をすべて直径方向（横方向）へ進出操作して、篭本体（１３６）の胴面を形成している多孔板の目孔へ差し込み係止させれば、蓋体（１３７）が篭本体（１３６）との固定状態に保たれるため、その煮篭（Ｃ）内の固形食材（Ｍ）が煮汁や糖蜜（Ｓ）の表面まで浮き上がり露出することを防ぐことができる。
【０１２１】
他方、上記把手（１５８）の差込み枢軸（１５９）を悉く篭本体（１３６）の目孔から内向きに抜き出し退避させれば、その蓋体（１３７）が所謂落し蓋として、篭本体（１３６）の内部を自由自在に昇降し得ることになるため、例えば甘納豆の原料である豆類の嵩張り変化する膨張作用に追従して、これを上方から常時踊り動かない状態に押えることにより、その表皮の破裂などを防止することができ、このような使用法の選択を固形食材（Ｍ）の種類などに応じて行なえる利便性がある。
【０１２２】
次に、甘納豆の原料である豆類を固形食材（Ｍ）の一例として、本発明に係る蜜漬け加熱装置の使用により蜜漬け加熱する方法を説明すると、予じめ水漬けされた生状態の豆類（Ｍ）を、一定容量（図示の一例では１斗）の形崩れ防止用煮篭（Ｃ）へ一旦収容させる。
【０１２３】
その場合、蓋体（１３７）における把手（１５８）の差込み枢軸（１５９）を篭本体（１３６）の目孔から抜き出し退避させておき、その蓋体（１３７）を落し蓋として、これが豆類（Ｍ）の膨軟作用に追従する如く、篭本体（１３６）の内部を自づと上昇し得る状態に保つことが好ましい。
【０１２４】
そして、豆類（Ｍ）が収容された煮篭（Ｃ）を電動チエンホイスト（１３４）により上記煮釜（Ｔ）の内部へ順次吊り込んで、その複数（図示の一例では合計４個）を図３７のような積み重ね状態に安定良く静置させる一方、同じく煮釜（Ｔ）の内部へ給水管路（５３）から給水して、豆類（Ｍ）の全体的な水漬け状態に保つと共に、上記煮釜（Ｔ）の開口上面を蓋板（１１２）により施蓋しておく。
【０１２５】
このような準備後、上記煮釜（Ｔ）の蒸気ジャケット（１０）へ蒸気供給管路（２０）から蒸気を供給して、その加熱力により豆類（Ｍ）を煮炊き作用すると共に、その過程では上記第２三方弁（６８）の切り換え操作により、吐出幹路（６６）から分岐している２次吐出枝路（７０）を閉鎖し、１次吐出枝路（６９）を開放した状態として、上記排液管路（５９）の循環ポンプ（６２）を駆動することにより、煮釜（Ｔ）内の湯水や煮汁を図３７の循環矢印で示す如く、強制的に撹拌・対流させる。
【０１２６】
又、同じく豆類（Ｍ）の煮炊き中にはその加熱温度を加熱温度センサー（２８）によって検知し、その現在温度が予じめ設定された目標の温度まで上昇し、一旦沸騰したならば、その後は約９５℃〜約９８℃の沸騰しない加熱温度を安定良く維持するために、単位時間当りの温度上昇率を検知し乍ら、その加熱温度センサー（２８）からの検知出力信号に基いて、上記コントローラー（シーケンサー）（２９）により蒸気供給管路（２０）に介在している電磁弁（２４ａ）（２４ｂ）の開閉度を自動的に調整制御し、一定時間の経過後に蒸気の供給を止めて、渋切り（アク抜き）する。
【０１２７】
その渋切り（アク抜き）は、上記排水管路（５８）の開閉弁（６０）を閉じた状態のもとで、給水管路（５３）から煮釜（Ｔ）の内部へ給水することにより行ない、その給水によって豆類（Ｍ）を冷却する。このような渋切り中、上記循環ポンプ（６２）の駆動を停止しておくことや、その豆類（Ｍ）を冷却した作用済みの排水が行なわれることは、言うまでもない。
【０１２８】
上記渋切り（アク抜き）を行なった後には、再度給水管路（５３）から煮釜（Ｔ）の内部へ給水して、豆類（Ｍ）の全体をやはり水漬け状態に保った上、蒸気ジャケット（１０）へ蒸気を供給することにより豆類（Ｍ）の煮炊き作用を続行する。
【０１２９】
このような引き続く煮炊き中にも、循環ポンプ（６２）を駆動することにより、煮釜（Ｔ）内の湯水や煮汁を上記循環矢印と同じく強制的に撹拌・対流させると共に、やはり豆類（Ｍ）の加熱温度を加熱温度センサー（２８）により検知して、その現在温度が予じめ設定された目標の温度まで上昇し、一旦沸騰したならば、その後は約９０℃〜約９５℃の沸騰しない加熱温度を維持し得るように、上記加熱温度センサー（２８）からの検知出力信号に基いて、そのコントローラー（シーケンサー）（２９）により上記電磁弁（２４ａ）（２４ｂ）を電気的に開閉制御して、蒸気ジャケット（１０）への蒸気供給量を自動調整し、一定時間の経過後に蒸気の供給を止めて、そのまま一定時間だけ放置することにより、豆類（Ｍ）を蒸らし作用する。
【０１３０】
その蒸らし作用後には上記給水管路（５３）から煮釜（Ｔ）の内部へ、打ち水（所謂ビックリ水）となる給水を行なって、豆類（Ｍ）を緩やかに冷却し乍ら、煮釜（Ｔ）の排水管路（５８）から排水する。
【０１３１】
尚、上記豆類（Ｍ）の１次的な煮炊き中に糖蜜振り撒き体（Ａ）は使用されないため、その回転支軸（４４）を駆動モーター（３４）の伝動軸（３９）から取りはずすと共に、上記２次吐出枝路（７０）の先端部に位置する糖蜜吐出ノズル（７１）も取りはずせば良いが、これらを取りはずすことなく、上記駆動モーター（３４）が搭載されたモーター据付け架台（３３）の片持ち支柱（３６）を、図４から図５のように一定角度（α）だけ廻し起して、煮釜（Ｔ）の開口上面から退避させておくことが好ましい。
【０１３２】
このようにして１次的に煮炊き終了した豆類（Ｍ）は、その収容された煮篭（Ｃ）を煮釜（Ｔ）から外部へ吊り出すことなく、依然として煮釜（Ｔ）内での安定な積み重ね静置状態に保ち、その煮釜（Ｔ）を豆類（Ｍ）の蜜漬け加熱にも兼用して、引き続き豆類（Ｍ）の２次的な蜜漬けを行なうのである。
【０１３３】
その場合、煮釜（Ｔ）の開口上面を先の蓋板（１１２）に代る蜜漬け用トップカバー（１１８）により被覆すると共に、糖蜜振り撒き体（Ａ）の糖蜜吐出ノズル（７１）を図４や図８、９のように煮釜（Ｔ）の真上位置へ臨ませておく。
【０１３４】
蜜漬けのために使う糖蜜（Ｓ）は一定量の水と、適当量（望ましくは水の約３倍）の砂糖（グラニュー糖）とから成る混合物として、その砂糖が溶解した透明度の高い液体であり、これを特別に調製するか、又はその市販品を買い求め、好ましくは豆類（Ｍ）とほぼ同じ重量比率だけ上記煮釜（Ｔ）の内部へ投入する。
【０１３５】
そして、蜜漬け当初では豆類（Ｍ）に未だ糖蜜（Ｓ）が吸収されておらず、その豆類（Ｍ）自身の糖度（ブリックス値）として、例えば約５２度〜約５３度の淡蜜状態にあるため、このような初期状態から上記煮釜（Ｔ）の蒸気ジャケット（１０）へ蒸気を供給し、蜜漬け中にある豆類（Ｍ）と糖蜜（Ｓ）を加熱して、これから水分を蒸発させることにより、豆類（Ｍ）の糖度を徐々に高めてゆくのである。
【０１３６】
その加熱温度が高ければ高い程、単位時間当りの水分蒸発量は多くなるが、約８０℃以上に高く過熱すると、豆類（Ｍ）の黒く焼け焦げ変色（所謂蜜焼け）するおそれがあるため、その蜜漬け中の加熱温度をやはり加熱温度センサー（２８）により検知して、その加熱温度が約６０℃〜約７５℃の一定として安定良く維持されるように、上記加熱温度センサー（２８）からの検知出力信号に基いて、コントローラー（シーケンサー）（２９）により蒸気供給管路（２０）の電磁弁（２４ａ）（２４ｂ）を開閉制御し、蒸気供給量を自動調整する。
【０１３７】
又、同じく豆類（Ｍ）の２次的な蜜漬け中には上記第２三方弁（６８）の切り換え操作により、吐出幹路（６６）から分岐している１次吐出枝路（６９）を閉鎖し、２次吐出枝路（７０）を開放した状態として、上記排液管路（５９）の循環ポンプ（６２）を駆動する一方、煮釜（Ｔ）の真上位置に臨む糖蜜振り撒き体（Ａ）をその駆動モーター（３４）により回転させて、煮釜（Ｔ）の糖蜜（Ｓ）を図３８の循環矢印で示す如く、強制的に撹拌・対流させると共に、上記冷却ファン（１２５）も回転駆動することにより、煮釜（Ｔ）の開口上面に向かって送風する。
【０１３８】
つまり、蜜漬け加熱が進行するに連れて、糖蜜（Ｓ）の徐々に熟成する如く豆類（Ｍ）の糖度が高まると、その糖蜜（Ｓ）の液面（Ｌ−Ｌ）に皮膜が生成されて、これが引き続く水分の蒸発を遮断してしまうことになるため、上記循環回路（Ｒ）を形作っている２次吐出枝路（７０）を開放した状態に保って、煮釜（Ｔ）内の糖蜜（Ｓ）を循環ポンプ（６２）の駆動により、その煮釜（Ｔ）の排液管路（５９）から吐出幹路（６６）と２次吐出枝路（７０）を通じて、煮釜（Ｔ）の真上位置に臨む糖蜜吐出ノズル（７１）へ圧送し、その吐出ノズル（７１）から再び煮釜（Ｔ）の内部へ帰還させる如く、強制循環的に対流・撹拌すると共に、殊更その糖蜜吐出ノズル（７１）から吐出する糖蜜（Ｓ）を、回転運動中の糖蜜振り撒き体（Ａ）によって煮釜（Ｔ）の内部へ、上方から勢い良く振り落とし拡散させ、上記糖蜜（Ｓ）の液面（Ｌ−Ｌ）に皮膜が生成してしまうことを予防するのである。
【０１３９】
しかも、上記煮釜（Ｔ）の内部から浮上する蒸気を、その煮釜（Ｔ）の開口上面を指向している冷却ファン（１２５）の回転風力により、強制的に吹き飛ばし排気させて、その糖蜜（Ｓ）における液面（Ｌ−Ｌ）の湿度を低下させ、更には冷却ファン（１２５）の負圧作用により気圧も低下させて、水分の蒸発を積極的に促進し、その蒸発量を増加させるのである。
【０１４０】
このように豆類（Ｍ）の蜜漬け加熱中、上記排液管路（５９）の循環回路（Ｒ）を形作っている循環ポンプ（６２）による糖蜜（Ｓ）の強制的な対流・撹拌作用と、その糖蜜振り撒き体（Ａ）の回転による糖蜜（Ｓ）の振り落とし拡散作用と、冷却ファン（１２５）の送風作用との相乗（協働）作用によって、糖蜜（Ｓ）からの水分蒸発が促進されるため、豆類（Ｍ）の蜜漬け所要時間の大幅な短縮や熱効率の向上並びに豆類（Ｍ）の大量処理などに大変役立つ。
【０１４１】
何れにしても、上記豆類（Ｍ）の蜜漬け加熱中に水分の蒸発が進行することは、煮釜（Ｔ）内の糖蜜（Ｓ）が徐々に豆類（Ｍ）へ吸収されて（浸透して）熟成する如く、その糖度が当初の淡蜜状態から濃蜜状態へ高まることを意味する。
【０１４２】
そのため、その蜜漬け中にある豆類（Ｍ）の糖度を、上記排液管路（５９）における吐出幹路（６６）の中途部へ介挿設置した糖度センサー（プロセス屈折率計）（Ｂ）により検知し、その糖度（ブリックス値）が目標のそれである例えば約７０度〜約７２度の濃蜜状態に到達したならば、その糖度センサー（Ｂ）からの検知出力信号に基いて、上記コントローラー（シーケンサー）（２９）により蒸気供給管路（２０）の電磁弁（２４ａ）（２４ｂ）を閉鎖させ、蒸気の供給を止める一方、循環ポンプ（６２）の駆動モーター（６４）と糖蜜振り撒き体（Ａ）の駆動モーター（３４）並びに冷却ファン（１２５）の回転も停止させるのである。
【０１４３】
このような豆類（Ｍ）の蜜漬けを終了したならば、一定時間（例えば約３０分）だけ蜜切りを行なって、上記煮釜（Ｔ）から蜜漬け用トップカバー（１１８）を取りはずすと共に、糖蜜振り撒き体用駆動モーター（３４）が搭載されている据付け架台（３３）の片持ち支柱（３６）を、約９０度の一定角度（α）だけ回動操作して、煮釜（Ｔ）の開口上面から廻し起し退避させる。
【０１４４】
そうすれば、煮釜（Ｔ）の上面全開状態になるため、チエンホイスト用支持ポール（１２６）の上側ポール（１２６ａ）を一定角度（β）だけ旋回させ、その電動チエンホイスト（１３４）のハンガーフック（１３５）を蜜漬け終了した豆類（Ｍ）の収容状態にある篭本体（１３６）の多孔芯筒（１４２）へ係止して、その煮篭（Ｃ）を煮釜（Ｔ）から順次吊り出す。
【０１４５】
そして、煮篭（Ｃ）における篭本体（１３６）の可動底板（１４３）をそのラッチ棒（１５０）の引き上げ操作により開放させて、上記蜜漬け終了した豆類（Ｍ）を別な収容ケース（図示省略）へ落し込み収容すれば良い。このような収容ケースへ移し入れられた豆類（Ｍ）には、その後少量づつの砂糖がまぶし付けられることにより、良好な食感の甘納豆に仕上がる。
【０１４６】
先には、本発明における固形食材（Ｍ）の一例として甘納豆の原料である豆類を挙げた関係上、その１次的な煮炊き作用の中途過程において渋切り（アク抜き）を行なっているが、これ以外の芋類や果実などの固形食材（Ｍ）では、その渋切りが行なわれないことも勿論あり得る。
【０１４７】
又、図示の実施形態では蒸気を加熱源とする固形食材（Ｍ）の煮炊き作用と、引き続く蜜漬け作用について説明したが、本発明に係る蜜漬け加熱装置の煮釜（Ｔ）には蒸気ジャケット（１０）のほか、上下一対の電気ヒーター（８ａ）（８ｂ）も設置されているため、その蒸気と電気とを加熱源として併用し、固形食材（Ｍ）とその糖蜜（Ｓ）の加熱や、その加熱温度センサー（２８）と糖度センサー（Ｂ）からの検知出力信号に基くヒーター電源のオン・オフ制御などを、コントローラー（シーケンサー）（２９）によって上記とほぼ同様に行なうことができ、固形食材（Ｍ）の煮炊きから蜜漬けに至る一連の作用を、ますます短時間での熱効率良く実行し得る利点がある。
【０１４８】
殊更、その一連の作用が夜間にまで及ぶ場合には、電気ヒーター（８ａ）（８ｂ）を使用して無人運転することが望ましく、そうすれば騒音の発生や火災事故の危険性を予防できるほか、固形食材（Ｍ）の蜜漬け状態を精密に制御された一定温度として、例えば約６０℃〜約７０℃に長時間保温し得る効果もある。
【符号の説明】
【０１４９】
（１）・胴面
（２）・底面
（３）・支持架台
（４）・補強連結板
（５）・延長架台
（６）・支持ステー
（７ａ）（７ｂ）・カバーステー
（８ａ）（８ｂ）・電気ヒーター
（９）・断熱材
（１０）・蒸気ジャケット
（１１）・脚柱
（１２）・据付け台
（１３）・補強棒
（１４）・支持枠
（１５）・開閉扉
（１６）・電気制御ボックス
（１７）・昇降脚座
（１８）・蒸気吹出し管
（１９）・蒸気吹出し孔
（２０）・蒸気供給管路
（２１）（２５）（２６）（５４）（６０）（６１）・開閉弁
（２２）・ドレン管
（２３）・手動開閉弁
（２４ａ）（２４ｂ）・電磁弁
（２７）・配管ブラケット
（２８）・加熱温度センサー
（２９）・コントローラー
（３０）・減速機
（３１）・入力軸
（３２）・出力軸
（３３）・モーター据付け架台
（３４）・駆動モーター
（３５）・モーターカバー
（３６）・片持ち支柱
（３７）・回動ハンドル
（３８）（６３）・インバーター
（３９）・伝動軸
（４０）・ラジアルベアリング
（４１）・スラストベアリング
（４２）・ベアリングケース
（４３）・固定カバー
（４４）・回転支軸
（４５）・ソケット
（４６）・ストッパー
（４７）・糖蜜流通孔
（４８ａ）（４８ｂ）・篭
（４９）・糖蜜落下孔
（５０）・脚枠
（５１）・軸受け環
（５２）・止めネジ
（５３）・給水管路
（５５）・排水口筒
（５６）・配管サポート
（５７）・補強筒
（５８）・排水管路
（５９）・排液管路
（６２）・強制循環ポンプ
（６４）・駆動モーター
（６５）・伝動カップリング
（６６）・吐出幹路
（６７）・第１三方弁
（６８）・第２三方弁
（６９）・１次吐出枝路
（７０）・２次吐出枝路
（７１）・糖蜜吐出ノズル
（７２）・内外相互間隙
（７３）・Ｏリング
（７４）・シリコンブレードホース
（７５）・ホースアダプター
（７６）・クランプバンド
（７７）・鏡筒
（７８）・プリズム
（７９）・光源
（８０）・対物レンズ
（８１）・リレーレンズ
（８２）・遮光シャーシ
（８３）・プリズムガスケット
（８４）・基板支持フランジ
（８５）・イメージセンサー
（８６）・センサー基板（ＣＰＵ）
（８７）・保護筒
（８８）・先端フランジ
（８９）・サファイアアダプター
（９１）・接液口
（９３）・放熱フィン
（９０）（９４）・基端フランジ
（９５）・ネジ口筒
（９６）・配線ボックス
（９７）・ナット
（９８）・熱絶縁材
（９９）・開閉蓋
（１００）・表示部
（１０１）・操作スイッチ部
（１０２）・電源入力コネクター
（１０３）・出力コネクター
（１０４）・ヘッダー本体
（１０５ａ）（１０５ｂ）・分岐管
（１０６）・糖蜜導入ガイド
（９２）（１０７）（１０８ａ）（１０８ｂ）（１１０ａ）（１１０ｂ）・フェルール
（１０９）（１１１ａ）（１１１ｂ）・クランプバンド
（１１２）・煮炊き用蓋板
（１１３）・吊り環
（１１４）・補強板
（１１５）・支持ステー
（１１６）・円形リング枠
（１１７）・取付け板
（１１８）・蜜漬け用トップカバー
（１１９）・係止フック
（１２０）・吸気口
（１２１）・排気口
（１２２）・スタンド脚柱
（１２３）・ダクト
（１２４）・受け枠
（１２５）・冷却ファン
（１２６）・支持ポール
（１２６ａ）・上側ポール
（１２６ｂ）・下側ポール
（１２７）・固定座
（１２８）・芯管
（１２９）・鞘管
（１３０）・軸受けメタル
（１３１）・スラストベアリング
（１３２）・固定ボルト
（１３３）・ホイストハンドル
（１３４）・電動チエンホイスト
（１３５）・ハンガーフック
（１３６）・篭本体
（１３７）・蓋体
（１３８）（１３９）・縁取りリング
（１４０）・縦桟
（１４１）・固定仕切り板
（１４２）・多孔芯筒
（１４２ａ）・支柱
（１４２ｂ）・多孔板
（１４２ｃ）・取付け座
（１４２ｄ）・放射リブ
（１４３）・可動底板
（１４４）・骨組
（１４５）・蝶番
（１４６）・固定フック
（１４７）・可動フック板
（１４７ａ）・先端フック部
（１４８）・支点ピン
（１４９）・ラッチ棒受け入れ凹溝
（１５０）・ラッチ棒
（１５１）（１５２）（１５７）・軸受けサドル
（１５３）（１５４）・把手
（１５５）・中心口
（１５６）・骨組
（１５８）・把手
（１５９）・差込み枢軸
（１６０）・伝熱脚
（Ａ）・糖蜜振り撒き体
（Ｂ）・糖度センサー
（Ｃ）・煮篭
（Ｈ）・配管ヘッダー
（Ｍ）・固形食材
（Ｒ）・循環回路
（Ｓ）・糖蜜
（Ｔ）・煮釜
（ｗ）・一定帯幅
（α）（β）・一定角度
（Ｌ−Ｌ）・糖蜜の液面
（Ｏ−Ｏ）・二等分線
【図１】
0005140714.tif 000002
【図２】
0005140714.tif 000003
【図３】
0005140714.tif 000004
【図４】
0005140714.tif 000005
【図５】
0005140714.tif 000006
【図６】
0005140714.tif 000007
【図７】
0005140714.tif 000008
【図８】
0005140714.tif 000009
【図９】
0005140714.tif 000010
【図１０】
0005140714.tif 000011
【図１１】
0005140714.tif 000012
【図１２】
0005140714.tif 000013
【図１３】
0005140714.tif 000014
【図１４】
0005140714.tif 000015
【図１５】
0005140714.tif 000016
【図１６】
0005140714.tif 000017
【図１７】
0005140714.tif 000018
【図１８】
0005140714.tif 000019
【図１９】
0005140714.tif 000020
【図２０】
0005140714.tif 000021
【図２１】
0005140714.tif 000022
【図２２】
0005140714.tif 000023
【図２３】
0005140714.tif 000024
【図２４】
0005140714.tif 000025
【図２５】
0005140714.tif 000026
【図２６】
0005140714.tif 000027
【図２７】
0005140714.tif 000028
【図２８】
0005140714.tif 000029
【図２９】
0005140714.tif 000030
【図３０】
0005140714.tif 000031
【図３１】
0005140714.tif 000032
【図３２】
0005140714.tif 000033
【図３３】
0005140714.tif 000034
【図３４】
0005140714.tif 000035
【図３５】
0005140714.tif 000036
【図３６】
0005140714.tif 000037
【図３７】
0005140714.tif 000038
【図３８】
0005140714.tif 000039
【図３９】
0005140714.tif 000040
【図４０】
0005140714.tif 000041
【図４１】
0005140714.tif 000042